(57)【特許請求の範囲】
【請求項１】
キーワード情報、監視チャンネルならびに監視開始時刻および監視終了時刻をユーザに入力させる入力手段、
入力手段によって入力された監視開始時刻から監視終了時刻までの間において、入力手段によって入力された監視チャンネルで放送されている番組の音声情報を受信する受信手段、
受信手段によって受信された音声情報に対して音声認識処理を行ない、音声認識処理によって得られた文字列に、キーワード情報と同じ文字列が現れたか否かを監視する監視手段、および
受信手段によって受信された音声情報に、キーワード情報と同じ情報が現れたときに、監視チャンネルで放送されている番組を放映させる手段、
を備えているデジタルテレビ放送受信機。
【請求項２】
キーワード情報、監視チャンネルならびに監視開始時刻および監視終了時刻をユーザに入力させる入力手段、
入力手段によって入力された監視開始時刻から監視終了時刻までの間において、入力手段によって入力された監視チャンネルで放送されている番組の音声情報を受信する受信手段、
受信手段によって受信された音声情報に対して音声認識処理を行ない、音声認識処理によって得られた文字列に、キーワード情報と同じ文字列が現れたか否かを監視する監視手段、および
受信手段によって受信された音声情報に、キーワード情報と同じ情報が現れたときに、監視チャンネルで放送されている番組を記憶手段に記憶させていく手段、
を備えているデジタルテレビ放送受信機。
【請求項３】
キーワード情報、監視チャンネルならびに監視開始時刻および監視終了時刻をユーザに入力させる入力手段、
入力手段によって入力された監視開始時刻から監視終了時刻までの間において、入力手段によって入力された監視チャンネルで放送されている番組の字幕情報を受信する受信手段、
受信手段によって受信された字幕情報に、キーワード情報と同じ文字列が現れたか否かを監視する監視手段、および
受信手段によって受信された字幕情報に、キーワード情報と同じ情報が現れたときに、監視チャンネルで放送されている番組を放映させる手段、
を備えているデジタルテレビ放送受信機。
【請求項４】
キーワード情報、監視チャンネルならびに監視開始時刻および監視終了時刻をユーザに入力させる入力手段、
入力手段によって入力された監視開始時刻から監視終了時刻までの間において、入力手段によって入力された監視チャンネルで放送されている番組の字幕情報を受信する受信手段、
受信手段によって受信された字幕情報に、キーワード情報と同じ文字列が現れたか否かを監視する監視手段、および
受信手段によって受信された字幕情報に、キーワード情報と同じ情報が現れたときに、監視チャンネルで放送されている番組を記憶手段に記憶させていく手段、
を備えているデジタルテレビ放送受信機。
【発明の詳細な説明】
【０００１】
【発明の属する技術分野】
この発明は、デジタルテレビ放送受信機に関する。
【０００２】
【従来の技術】
デジタルテレビ放送受信機においては、通常、視聴したい番組を予約する機能を備えている。このような視聴予約は、ユーザが視聴したい番組を指定することによって行なわれる。
【０００３】
一方、ユーザは番組を予め特定して指定することはできないが、ある特定人が出演している番組を視聴した場合や、ある特定の分野に関連した番組を視聴したい場合がある。
【０００４】
【発明が解決しようとする課題】
この発明は、ユーザが入力したキーワード情報に関連した番組が放送されているか否かを監視し、放送されている場合にはその番組を提示させたり、その番組内容を記憶させることができるデジタルテレビ放送受信機を提供することを目的とする。
【０００５】
【課題を解決するための手段】
請求項１の発明は、キーワード情報、監視チャンネルならびに監視開始時刻および監視終了時刻をユーザに入力させる入力手段、
入力手段によって入力された監視開始時刻から監視終了時刻までの間において、入力手段によって入力された監視チャンネルで放送されている番組の音声情報を受信する受信手段、キーワード情報と監視チャンネルとをユーザに入力させる入力手段、入力された監視チャンネルで放送されている番組の音声情報を受信する受信手段、受信手段によって受信された音声情報に対して音声認識処理を行ない、音声認識処理によって得られた文字列に、キーワード情報と同じ文字列が現れたか否かを監視する監視手段、および受信手段によって受信された音声情報に、キーワード情報と同じ情報が現れたときに、監視チャンネルで放送されている番組を放映させる手段を備えていることを特徴とする。
【０００６】
請求項２の発明は、キーワード情報、監視チャンネルならびに監視開始時刻および監視終了時刻をユーザに入力させる入力手段、入力手段によって入力された監視開始時刻から監視終了時刻までの間において、入力手段によって入力された監視チャンネルで放送されている番組の音声情報を受信する受信手段、受信手段によって受信された音声情報に対して音声認識処理を行ない、音声認識処理によって得られた文字列に、キーワード情報と同じ文字列が現れたか否かを監視する監視手段、および受信手段によって受信された音声情報に、キーワード情報と同じ情報が現れたときに、監視チャンネルで放送されている番組を記憶手段に記憶させていく手段を備えていることを特徴とする。
【０００７】
請求項３の発明は、キーワード情報、監視チャンネルならびに監視開始時刻および監視終了時刻をユーザに入力させる入力手段、入力手段によって入力された監視開始時刻から監視終了時刻までの間において、入力手段によって入力された監視チャンネルで放送されている番組の字幕情報を受信する受信手段、受信手段によって受信された字幕情報に、キーワード情報と同じ文字列が現れたか否かを監視する監視手段、および受信手段によって受信された字幕情報に、キーワード情報と同じ情報が現れたときに、監視チャンネルで放送されている番組を放映させる手段を備えていることを特徴とする。
【０００８】
請求項４の発明は、キーワード情報、監視チャンネルならびに監視開始時刻および監視終了時刻をユーザに入力させる入力手段、入力手段によって入力された監視開始時刻から監視終了時刻までの間において、入力手段によって入力された監視チャンネルで放送されている番組の字幕情報を受信する受信手段、受信手段によって受信された字幕情報に、キーワード情報と同じ文字列が現れたか否かを監視する監視手段、および受信手段によって受信された字幕情報に、キーワード情報と同じ情報が現れたときに、監視チャンネルで放送されている番組を記憶手段に記憶させていく手段を備えていることを特徴とする。
【０００９】
【発明の実施の形態】
以下、図面を参照して、この発明の実施の形態について説明する。
【００１０】
図１は、デジタルテレビ放送受信機の構成を示している。
【００１１】
衛星や放送局からの電波は、アンテナ１を介して、第１のチューナ２に送られ、高周波処理および復調が行われる。第１のチューナ２からの出力は第１のＤＥＭＵＸ回路３に送られ、パケットの復号が行われる。
【００１２】
第１のＤＥＭＵＸ回路３において、パケットは、番組内容そのものであるＭＰＥＧデータと、データ放送、字幕情報、番組案内情報等の付属情報とに分別される。第１のＤＥＭＵＸ回路３によって分別されたＭＰＥＧデータは、第１のＡＶデコーダ４に送られる。第１のＤＥＭＵＸ回路３によって分別された付属情報は、システムコントローラ１４に送られる。
【００１３】
システムコントローラ１４は、メモリ１６を備えている。システムコントローラ１４は、第１のＤＥＭＵＸ回路３から送られきた付属情報を、メモリ１４に格納する。システムコントローラ１４には、リモコン送信機１２からのリモコン信号がリモコン受光器１３を介して入力される。
【００１４】
システムコントローラ１４は、第１のチューナ２および第１のＤＥＭＵＸ回路３に選局のための情報等を送る。また、システムコントローラ１４は、データ放送、字幕情報、番組ガイド（ＥＰＧ）、各種操作画面等をＣＲＴ８にオンスクリーン表示させるためのＯＳＤ制御信号を、ＯＳＤ表示回路１５に送る。ＯＳＤ表示回路１５は、データ放送、字幕情報、番組ガイド、各種操作画面等の表示データ（ＯＳＤ画面データ）を生成して、ＯＳＤ信号としてマルチプレクサ（合成回路）６に送る。
【００１５】
第１のＡＶデコーダ４は、第１のＤＥＭＵＸ回路３から送られきたＭＰＥＧデータを復調する。第１のＡＶデコーダ４によって得られた映像信号は、映像処理回路５を介してマルチプレクサ６に送られる。マルチプレクサ６は、映像処理回路５から出力された映像データにＯＳＤ表示回路１５から送られてきた表示データをスーパーインポーズ処理して、映像出力回路７に送る。映像出力回路７から出力された映像信号は、ＣＲＴ８に送られる。
【００１６】
第１のＡＶデコーダ４によって得られた音声信号は、音声処理回路９および音声出力回路１０を介してスピーカ１１に送られる。
【００１７】
この実施の形態では、ユーザによって入力されたキーワードを音声に含む番組を監視するために、第２のチューナ２１、第２のＤＥＭＵＸ回路２２、第２のＡＶデコーダ２３および音声認識処理回路２４を備えている。
【００１８】
衛星や放送局からの電波は、アンテナ１を介して、第２のチューナ２１にも送られ、高周波処理および復調が行われる。第２のチューナ２１からの出力は第２のＤＥＭＵＸ回路２２に送られ、パケットの復号が行われる。
【００１９】
第２のＤＥＭＵＸ回路２２において、パケットは、番組内容そのものであるＭＰＥＧデータと、データ放送、字幕情報、番組案内情報等の付属情報とに分別される。第２のＤＥＭＵＸ回路２２によって分別されたＭＰＥＧデータは、第２のＡＶデコーダ２３に送られる。第２のＤＥＭＵＸ回路２２によって分別された付属情報は、システムコントローラ１４に送られる。
【００２０】
第２のＡＶデコーダ２３は、第２のＤＥＭＵＸ回路２２から送られきたＭＰＥＧデータを復調する。第２のＡＶデコーダ２３によって得られた音声信号は、音声認識処理回路２４に送られ、音声認識処理が行なわれる。音声認識処理回路２４による音声認識結果は、システムコントローラ１４に送られる。
【００２１】
図２は、ユーザによって入力されたキーワード情報を音声に含む番組を監視し、見つかった場合に、その番組を提示させるためのシステムコントローラ１４の処理手順を示している。
【００２２】
まず、ユーザは、リモコン送信機１２を操作して、キーワード情報を入力すると（ステップ１）、システムコントローラ１４は入力されたキーワード情報をメモリ１６に記憶する（ステップ２）。
【００２３】
また、システムコントローラ２０は、監視条件、すなわち、監視したいチャンネル（監視チャンネル）を特定するための情報と、監視開始および終了時刻とをユーザに入力させるための画面（監視条件入力画面）を表示させる（ステップ３）。
【００２４】
この設定画面上で、ユーザが監視条件を入力すると（ステップ４）、システムコントローラ１４は、監視開始時刻を待って、監視処理を実行する（ステップ５）。つまり、ステップ３で設定された監視番組またはチャンネル番号を第２のチューナ２１および第２のＤＥＭＵＸ回路２２が選局するように、第２のチューナ２１および第２のＤＥＭＵＸ回路２２を制御する。そして、音声認識処理回路２４から得られた音声認識処理結果（文字列）中に、ステップ１で入力されたキーワード情報と同じ文字列が現れたか否かを監視する。
【００２５】
音声認識処理結果中にキーワード情報と同じ文字列が現れたときには（ステップ６）、第２のチューナ２１および第２のＤＥＭＵＸ回路２２によって選局されている番組を第１のチューナ２および第１のＤＥＭＵＸ回路３が選局するように、第１のチューナ２および第１のＤＥＭＵＸ回路３を制御する（ステップ７）。これにより、ユーザによって入力されたキーワード情報を音声に含む番組の映像がＣＲＴ８に表示されるとともに、その番組の音声がスピーカ１１から出力されるようになる。
【００２６】
なお、上記ステップ７において、第１のチューナ２および第１のＤＥＭＵＸ回路３を制御することなく、第２のＡＶデコーダ２３から得られる映像・音声情報をメモリ１６に保持させるようにしてもよい。この場合、メモリ１６に保持された映像・音声情報は、ユーザの操作によって、ＣＲＴ８、スピーカ１１に出力させることが可能である。
【００２７】
上記実施の形態では、ユーザによって入力されたキーワード情報を音声に含む番組を監視しているが、ユーザによって入力されたキーワード情報を、字幕情報およびデータ放送の文字情報に含む番組を監視するようにしてもよい。
【００２８】
この場合には、上記ステップ５において、次のような監視処理が行なわれる。つまり、ステップ３で設定された監視番組またはチャンネル番号を第２のチューナ２１および第２のＤＥＭＵＸ回路２２が選局するように、第２のチューナ２１および第２のＤＥＭＵＸ回路２２を制御する。そして、第２のＤＥＭＵＸ回路２２から得られた字幕情報およびデータ放送の文字情報中に、ステップ１で入力されたキーワード情報と同じ文字列が現れたか否かを監視する。そして、第２のＤＥＭＵＸ回路２２から得られた字幕情報およびデータ放送の文字情報中にキーワード情報と同じ文字列が現れたときには、ステップ７に移行する。
【００２９】
なお、第２のＡＶデコーダ２３から得られる映像情報に対して映像認識を行なって、映像中に含まれている文字列を抽出し、映像中に含まれている文字列にキーワード情報が現れたか否かを監視するようにしてもよい。
【００３０】
【発明の効果】
この発明によれば、ユーザが入力したキーワード情報に関連した番組が放送されているか否かを監視し、放送されている場合にはその番組を提示させたり、その番組内容を記憶させることができるようになる。
【図面の簡単な説明】
【図１】  デジタルテレビ放送受信機の構成を示すブロック図である。
【図２】  ユーザによって入力されたキーワード情報を音声に含む番組を監視し、見つかった場合に、その番組を提示させるためのシステムコントローラ１４の処理手順を示すフローチャートである。
【符号の説明】
２、２１  チューナ
３、２２  ＤＥＭＵＸ回路
４、２３  ＡＶデコーダ
２４  音声認識処理回路
１４  システムコントローラ
１６  メモリ
【図１】
0003663144.tif 000002
【図２】
0003663144.tif 000003